(57)【要約】      （修正有）【課題】共通部品を用いて、任意の直管型ＬＥＤランプの発光方向を設定できる照明装置を提供する。【解決手段】照明装置は、直管型ＬＥＤランプ１と、直管型ＬＥＤランプ１の両端を保持する保持構造１２，１３，２２，２３と、直管型ＬＥＤランプ１に電力を供給する給電構造１５，１６，１７とを備える。直管型ＬＥＤランプ１は、基板２とＬＥＤ素子３とカバー４と給電端子５とアース端子６とを備える。端部キャップ１１，２１には突起が設けられ、ソケット１３，２３内面には複数の溝が設けられ、嵌合構造を形成する。任意の角度に突起の向きを設定して、対応する溝に嵌合させ、直管型ＬＥＤランプ１を回転させ、照射角度を設定する。直管型ＬＥＤランプ１が回転する際、給電側コネクタ１６はソケット１３内の空間にて自由に移動する。【選択図】図１
0003212591.tif 000002
【実用新案登録請求の範囲】
【請求項１】
直管型LEDランプ本体と、
前記直管型LEDランプ本体の両端を保持する保持構造と、
前記保持手段の一端から、前記直管型LEDランプ本体の一端に設けられた端子に、電力を供給する給電構造と
を備え、
前記直管型LEDランプ本体は、前記保持構造に対して、所定角度回転した状態で、配置可能であり、
前記給電構造は、前記直管型LEDランプ本体の回転に伴って回転可能である
ことを特徴とする照明装置。
【請求項２】
前記給電構造は、
給電線と、
前記給電線と電気的に接続され、かつ、前記保持構造に移動自在に内包される給電側コネクタと
を有する
ことを特徴とする請求項１記載の照明装置。
【請求項３】
前記保持構造と前記直管型LEDランプ本体両端部において、突起と溝による嵌合構造が形成される
ことを特徴とする請求項１または２記載の照明装置。
【請求項４】
前記嵌合構造は、周方向に複数設けられた溝に突起を嵌合させるよう形成される
ことを特徴とする請求項３記載の照明装置。
【請求項５】
前記直管型LEDランプ本体は、前記保持構造に対して、ステップ角度１５度毎に回転した状態で、配置可能である
ことを特徴とする請求項１〜４いずれか記載の照明装置。
【考案の詳細な説明】
【技術分野】
【０００１】
本考案は照明装置に関し、特に、直管型LEDランプに係る照明装置に関するものである。
【背景技術】
【０００２】
発光ダイオード（LED）はダイオードの一種で、順方向に電圧を加えた際に発光する。そのため、従来の照明装置に比べ、低消費電力・低発熱性・長寿命という特性を持つ。白熱電球の代替としてLED電球が提案されている。
【０００３】
また、蛍光灯の代替として、直管型LEDランプが提案されている。長尺の基板に長尺方向に複数のLED素子を配置する。これを直管状のカバーで覆う。
【０００４】
ところで、蛍光灯が全方位に拡散して照射されるのに対し、直管型LEDランプは指向性を有する。したがって、直管型LEDランプは、トンネル内の照明等、照射目的が明確な場合に適している。
【０００５】
さらに、特許文献１や特許文献２では、直管型LEDランプの発光方向を調整できることが記載されている。
【先行技術文献】
【特許文献】
【０００６】
【特許文献１】特開2012-099233号公報
【特許文献２】特開2013-229151号公報
【考案の概要】
【考案が解決しようとする課題】
【０００７】
特許文献１や特許文献２では、直管型LEDランプの発光方向を調整できるが、所定の照射角度に応じて各種部材を製作する必要が有る。その結果、高コストとなる。
【０００８】
本考案は上記課題を解決するものであり、共通部品を用いて、任意の直管型LEDランプの発光方向を設定できる照明装置を提供することを目的とする。
【課題を解決するための手段】
【０００９】
上記課題を解決する本考案の照明装置は、直管型LEDランプ本体と、前記直管型LEDランプ本体の両端を保持する保持構造と、前記保持手段の一端から、前記直管型LEDランプ本体の一端に設けられた端子に、電力を供給する給電構造とを備える。前記直管型LEDランプ本体は、前記保持構造に対して、所定角度回転した状態で、配置可能であり、前記給電構造は、前記直管型LEDランプ本体の回転に伴って回転可能である。
【００１０】
これにより、直管型LEDランプ本体が任意の角度回転することに伴って、給電構造を変更する必要がない。すなわち、共通部品により対応可能である。
【００１１】
好ましくは、前記給電構造は、給電線と、前記給電線と電気的に接続され、かつ、前記保持構造に移動自在に内包される給電側コネクタとを有する。
【００１２】
これにより、給電構造は、直管型LEDランプ本体が任意の角度回転することに伴う影響を吸収できる。
【００１３】
好ましくは、前記保持構造と前記直管型LEDランプ本体両端部において、突起と溝による嵌合構造が形成される。
【００１４】
更に好ましくは、前記嵌合構造は、周方向に複数設けられた溝に突起を嵌合させるよう形成される。
【００１５】
突起と溝による嵌合構造により、直管型LEDランプ本体を所定の角度回転させることができる。
【００１６】
好ましくは、前記直管型LEDランプ本体は、前記保持構造に対して、ステップ角度１５度毎に回転した状態で、配置可能である。
【００１７】
これにより、直管型LEDランプ本体を所定の角度回転させることができる。なお、ステップ角度１５未満としても、照射範囲の精度が向上することもなく、徒に構成が複雑になるだけである。
【考案の効果】
【００１８】
本考案の照明装置は、共通部品を用いて、任意の直管型LEDランプの発光方向を設定できる。
【図面の簡単な説明】
【００１９】
【図１】照明装置に係る分解斜視図
【図２】照明装置に係る全体平面図
【図３】嵌合構造に係る詳細図
【図４】嵌合構造に係る詳細図
【図５】給電構造に係る詳細図
【図６】照射角度イメージ
【図７】照射角度イメージ
【図８】一般例
【考案を実施するための形態】
【００２０】
〜構成〜
図１および図２に、本実施形態における照明装置を示す。図１は分解斜視図であり、図２は全体斜視図である。
【００２１】
照明装置は、直管型LEDランプ１と、直管型LEDランプ１の両端を保持する保持構造１２，１３，２２，２３と、直管型LEDランプ１に電力を供給する給電構造１５，１６，１７とを備える。
【００２２】
直管型LEDランプ１は、基板２とLED素子３とカバー４と給電端子５とアース端子６とを備える。
【００２３】
長尺の基板2上に長尺方向に複数のLED素子３が配置される。複数のLED素子３同士は電気的に接続されている。図示では一列に配列されているが、適宜変更が可能である。例えば２列にしてもよい。
【００２４】
基板２は直管状のカバー４により覆われる。LED素子３による発光は、カバー４を透過して外部に照射される。この際、基板２に直角する方向を中心としてプラスマイナス略６０度の照射範囲が得られる。
【００２５】
直管型LEDランプ１の一端部には給電端子５が設けられ、他端部にはアース端子６が設けられている。
【００２６】
なお、本実施形態における直管型LEDランプ１はＪＥＬ８０１規格準拠直管ＬＥＤランプの給電端子５を若干変更するものである（後述）。
【００２７】
直管型LEDランプ１の直管状カバー４はソケットキャップ１２，２２を挿通し、両端がソケット１３，２３の開口部に係合される。ソケットキャップ１２とソケット１３が螺合し、ソケットキャップ２２とソケット２３が螺合することにより、直管型LEDランプ１は保持される。
【００２８】
ソケットキャップ１２，２２内には防水パッキンが設けられている（図５参照）。これにより端子を保護する。
【００２９】
ソケット１３，２３はベース３０に連設されており、直管型LEDランプ１はベース３０を介して壁等に設置される。
【００３０】
給電線１７は外部からソケット１３内に挿入される。
【００３１】
すなわち、本実施形態はＪＥＬ８０１規格準拠直管ＬＥＤランプに若干の変更を加えるものである。次に、本実施形態特有の構成について説明する。
【００３２】
図３および図４に、本実施形態における嵌合構造を示す。図３は突起と溝の関係を示す概略斜視図であり、図４はソケット内の断面図である。
【００３３】
直管型LEDランプ１の直管状カバー４の両端には、端部キャップ１１，２１が設けられている。端部キャップ１１には給電端子５を挿通可能な開口部が設けられている。端部キャップ２１にはアース端子６を挿通可能な開口部が設けられている。
【００３４】
端部キャップ１１，２１の上面には対向する２つのパイプが設けられ、パイプの側面には突起３１が設けられている。なお、パイプは突起３１の剛性を補強するものである。
【００３５】
ソケット１３，２３内面には、全周方向に複数（図示では２４カ所）の溝３３が設けられている。溝３３の幅は、突起３１を嵌合できるよう設定される。
【００３６】
ソケット側は固定されており、任意の角度に突起３１の向きを設定して、対応する溝３３に嵌合させる。その結果、直管型LEDランプ１（基板２の向き）を回転させ、発光方向（照射角度）を設定できる（詳細は図６および図７に対応する記載で詳述）。
【００３７】
図５に、本実施形態における給電構造を示す。図５は、ソケット１３、端部キャップ１１、ソケットキャップ１２に係る断面図である。
【００３８】
給電端子５に電気的に接続するように追加コネクタ１５が設けられている。
【００３９】
一方、給電側コネクタ１６は、給電線１７と電気的に接続し、かつ、ソケット１３内の空間に移動自在に内包される。給電線１７は多少の遊びを有する。追加コネクタ１５と給電側コネクタ１６が接続されることにより、直管型LEDランプ１は給電される。
【００４０】
直管型LEDランプ１の回転に伴い、給電側コネクタ１６も回転する。給電線１７の遊びにより、給電側コネクタ１６はソケット１３内の空間にて自由に移動する。
【００４１】
〜照射角度設定〜
トンネル構内などでは、照射目的が明確であり、設計段階で照射角度が設定される。したがって、製造段階において、ソケット１３，２３に対する直管型LEDランプ１の回転角度（言い換えると、図３における突起３１の向き）を設定角度として、当該角度に係る照明装置を組み立てる。照明装置は施工現場に搬入され、壁等に設置される。なお、水平方向と基板２に直交する方向のなす角度を照射角度とする。
【００４２】
原理的には３６０度の照射角度を設定できるが、実務上は０度（水平方向）から９０度（鉛直真下方向）までステップ角度１５度毎に設定できれば、充分に使用現場における要求を満たす。
【００４３】
図６および図７に、照射角度のイメージを示す。図６は、照射角度を０度から９０度まで変更する場合のイメージである。図７は、断面馬蹄形状のトンネル壁面に照明装置を設置した場合と断面矩形状のトンネル壁面に照明装置を設置した場合の照射範囲のイメージである。
【００４４】
図示を参考すると、トンネル構内での使用に関する要求を満たすことがわかる。照射目的に応じて、０度、１５度、３０度、４５度、６０度、７５度、９０度の何れか１つを選択すれば良い。
【００４５】
なお、考案者は、ステップ角度１５度未満として、試験施工をおこなったが、ステップ角度１５度に設定した場合と、照射範囲に係る顕著な差異は見られなかった。
【００４６】
〜効果〜
以上のように、本実施形態によれば、トンネル構内での使用に関する要求に応じて、最適な照射角度に設定された照明装置を提供できる。
【００４７】
ここで、一般的な直管型LEDランプと本実施形態とを比較する。
【００４８】
図８は、一般的な直管型LEDランプの給電構造である。直管型LEDランプの給電端子に対応する端子挿入口をソケットに設ける。給電端子を端子挿入口に挿入することにより、直管型LEDランプは給電される。このとき、ソケットにおいて端子挿入口は固定されている。したがって、直管型LEDランプを回転させ、照射角度を調整するのは困難である。
【００４９】
したがって、ソケットを加工して、ソケットにおける端子挿入口の向きを調整する必要が有る。その結果、設定角度毎にソケットを加工する必要が有り、高コストの要因となる。
【００５０】
これに対し、本実施形態では、当該角度に直管型LEDランプ１が回転する際、給電側コネクタ１６はソケット１３内の空間にて自由に移動する。したがって、いずれの設定角度においても共通のソケット１３を用いることができる。
【００５１】
また、ソケット１３とソケット２３も共通部品を用いることができる。ソケットキャップ１２とソケットキャップ２２も共通部品を用いることができる。さらに、端部キャップ１１と端部キャップ２１は開口部の形状が異なる以外共通である。
【００５２】
部品の共通化を図ることにより低コスト化を実現できる。
【００５３】
また、本実施形態はＪＥＬ８０１規格準拠直管ＬＥＤランプに若干の変更を加えるものであり、汎用性が高い。
【００５４】
〜変形例〜
本考案は上記実施形態に限定されず、本考案の技術思想の範囲で種々の変形が可能である。
【００５５】
たとえば、上記実施形態の嵌合構造では、突起３１を端部キャップ１１，２１に設け、溝３３をソケット１３，２３に設けたが、突起３１をソケット１３，２３に設け、溝３３を端部キャップ１１，２１に設けてもよい。
【００５６】
また、上記実施形態の嵌合構造では、突起３１を端部キャップ１１，２１に設けたが、直管状カバー４の両端を加工して突起を設けてもよい。この変形例によれば、端部キャップ１１，２１は不要になる。
【００５７】
上記実施形態の給電構造では、直管型LEDランプ１の給電端子５に追加コネクタ１５を連続させ、追加コネクタ１５を介して給電側コネクタ１６が接続されるが、給電側コネクタ１６を給電端子５に対応する端子挿入口としてもよい。この変形例によれば、追加コネクタ１５は不要になる。
【００５８】
〜備考〜
ところで、トンネル構内等の使用現場においては照射目的が明確であり、作業員等の判断により、任意に照射角度を調整することは好ましくない。
【００５９】
また、施工現場において、施工者に照射角度を調整させることは、施工負担が増加するため、好ましくない。
【００６０】
本実施形態に係る照明装置は、工場出荷時に照射角度が設定されており、このような不具合は発生しない。
【符号の説明】
【００６１】
１  直管型LEDランプ
２  基板
３  LED素子
４  カバー
５  給電端子
６  アース端子
１１  端部キャップ
１２  ソケットキャップ
１３  ソケット
１５  追加コネクタ
１６  給電側コネクタ
１７  給電線
２１  端子キャップ
２２  ソケットキャップ
２３  ソケット
３０  ベース
３１  突起
３３  溝
【図１】
0003212591.tif 000003
【図２】
0003212591.tif 000004
【図３】
0003212591.tif 000005
【図４】
0003212591.tif 000006
【図５】
0003212591.tif 000007
【図６】
0003212591.tif 000008
【図７】
0003212591.tif 000009
【図８】
0003212591.tif 000010
【手続補正書】
【提出日】平成29年7月19日(2017.7.19)
【手続補正１】
【補正対象書類名】実用新案登録請求の範囲
【補正対象項目名】全文
【補正方法】変更
【補正の内容】
【実用新案登録請求の範囲】
【請求項１】
直管型LEDランプ本体と、
前記直管型LEDランプ本体の両端を保持する保持構造と、
前記保持構造の一端から、前記直管型LEDランプ本体の一端に設けられた端子に、電力を供給する給電構造と
を備え、
前記直管型LEDランプ本体は、前記保持構造に対して、所定角度回転した状態で、配置可能であり、
前記給電構造は、前記直管型LEDランプ本体の回転に伴って回転可能である
ことを特徴とする照明装置。
【請求項２】
前記給電構造は、
給電線と、
前記給電線と電気的に接続され、かつ、前記保持構造に移動自在に内包される給電側コネクタと
を有する
ことを特徴とする請求項１記載の照明装置。
【請求項３】
前記保持構造と前記直管型LEDランプ本体両端部において、突起と溝による嵌合構造が形成される
ことを特徴とする請求項１または２記載の照明装置。
【請求項４】
前記嵌合構造は、周方向に複数設けられた溝に突起を嵌合させるよう形成される
ことを特徴とする請求項３記載の照明装置。
【請求項５】
前記直管型LEDランプ本体は、前記保持構造に対して、ステップ角度１５度毎に回転した状態で、配置可能である
ことを特徴とする請求項１〜４いずれか記載の照明装置。